(57)【特許請求の範囲】
【請求項１】
パイプ又はケーブルを海底に埋設するための海底面の溝を所定の方向に向かって徐々に形成して行くために使用される海底掘削機であって、
海底掘削機の移動方向に沿って備えられ、海底を掘削するための高圧水流を、海底方向に向けて、又は海底掘削機の移動方向とは反対の方向と海底方向との間の方向に向けて噴出するためのノズルと、
海底掘削機本体に対して海底面へ近接するか又は海底面から離反する方向に移動自在に構成された支持部であって、海底掘削機本体の移動方向と平行に配置された平板から成り、その下端部に前記ノズルが複数個備えられている支持部と、
前記ノズルから前記海底面を掘削するための高圧水流が噴出されているとき、前記支持部を所定の高さ位置から海底方向に向けて所定距離だけ押し下げるための押し下げ部と、
パイプ又はケーブルを埋設する対象となる海底面の起伏などの地形データを海底の位置座標データと関連付けて記録しておくための地形データベースと、
海底掘削機の現在位置を推測するための現在位置推測手段と、
前記現在位置推測手段からの現在位置データと前記地形データベースからの地形データとに基づいて、海底掘削機の現在位置の前記ノズルからの高圧水流による海底の掘削深さが海底面の起伏に拘わらず海水面から常にほぼ一定の深さとなるように、前記押し下げ部により前記支持部を押し下げるべき距離を求めるための押し下げ距離算出手段と、
前記ノズルから前記海底面を掘削するための高圧水流が噴出されているとき、前記押し下げ距離算出手段からの出力に基づいて、前記押し下げ部を制御して、前記押し下げ部による前記支持部の海底方向への前記押し下げ距離を調整するための押し下げ制御手段と、
を備えたことを特徴とする掘削効率を向上させた海底掘削機。
【請求項２】
請求項１において、油圧モーター及び油圧タンクを前記支持部の近傍に配置し、海上の船からケーブルを介して前記油圧モーターに電力及び制御信号を送信するようにした、ことを特徴とする掘削効率を向上させた海底掘削機。
【請求項３】
請求項１又は２において、前記支持部を構成する２つの平板は、埋設すべきパイプ又はケーブルの直径よりも大きな距離を介して互いに対向するように配置されており、海底掘削時には、前記２つの平板の間の空間に埋設すべきパイプ又はケーブルが配置されるようになっている、ことを特徴とする掘削効率を向上させた海底掘削機。
【発明の詳細な説明】
【技術分野】
【０００１】
本発明は、パイプ又はケーブルを海底に埋設することなどの目的で使用される、掘削効率を向上させた海底掘削機に関する。
【背景技術】
【０００２】
従来より、取水管、送水管あるいは送油管などのパイプ、又は通信ケーブルあるいは電力ケーブルなどのケーブルを海底に埋設するために、多数のノズルから高圧水を噴出してパイプ又はケーブルを埋設する溝を掘り進むようにしたウォータージェット式の海底掘削・埋設機が知られている（例えば、特許文献１，２参照）。
【特許文献１】特開平６−１４１４３０号公報
【特許文献２】特開２００１−１１２１３６号公報
【発明の開示】
【発明が解決しようとする課題】
【０００３】
しかしながら、従来のウォータージェット式の海底掘削・埋設機においては、前記多数のノズルと海底との間に隙間が生じてしまい、前記ノズルから放出された高圧水流の一部が海底の掘削のために使用されないまま海水中に流れてしまうので、掘削効率が悪くなってしまう、という問題があった。
【０００４】
また、従来のウォータージェット式の海底掘削・埋設機においては、前記多数のノズルからの高圧水が常に一定の高さ位置から放出されているため、その高圧水による掘削深さは常に海底面に対する一定の深さ位置となり、パイプ又はケーブルが「起伏がある海底面から一定の深さ位置」に埋設される結果、パイプ又はケーブルが海底面の起伏に対応して上下方向に湾曲した状態で埋設されてしまう、という問題があった。
【０００５】
また、従来のウォータージェット式の海底掘削・埋設機においては、船上から油圧をホースで送って海底掘削・埋設機を駆動するようにしていたので、掘削などの動作を柔軟且つ高精度に行うことができない、という問題があった。
【０００６】
さらに、従来のウォータージェット式の海底掘削・埋設機においては、掘削動作の操作などを行うための操作盤が船上のみに備えられ、海底掘削・埋設機に取り付けられたビデオカメラからの映像を見ながら船上でのみ操作を行っていたので、海中のダイバーが直接に海底掘削・埋設機を操作することができない、という問題があった。
【０００７】
本発明はこのような従来技術の問題点に着目してなされたものであって、掘削効率を従来よりも大幅に向上させることができ、パイプ又はケーブルを海水面と平行な直線状に埋設することができ、掘削動作を柔軟且つ高精度に行うことができ、しかも海中のダイバーが直接に掘削機を操作することができる、海底掘削機を提供することを目的とする。
【課題を解決するための手段】
【０００８】
このような従来技術の課題を解決するための本発明による海底掘削機は、パイプ又はケーブルを海底に埋設するための海底面の溝を所定の方向に向かって徐々に形成して行くために使用される海底掘削機であって、海底掘削機の移動方向に沿って備えられ、海底を掘削するための高圧水流を、海底方向に向けて、又は海底掘削機の移動方向とは反対の方向と海底方向との間の方向に向けて噴出するためのノズルと、海底掘削機本体に対して海底面へ近接するか又は海底面から離反する方向に移動自在に構成された支持部であって、海底掘削機本体の移動方向と平行に配置された平板から成り、その下端部に前記ノズルが複数個備えられている支持部と、前記ノズルから前記海底面を掘削するための高圧水流が噴出されているとき、前記支持部を所定の高さ位置から海底方向に向けて所定距離だけ押し下げるための押し下げ部と、パイプ又はケーブルを埋設する対象となる海底面の起伏などの地形データを海底の位置座標データと関連付けて記録しておくための地形データベースと、海底掘削機の現在位置を推測するための現在位置推測手段と、前記現在位置推測手段からの現在位置データと前記地形データベースからの地形データとに基づいて、海底掘削機の現在位置の前記ノズルからの高圧水流による海底の掘削深さが海底面の起伏に拘わらず海水面から常にほぼ一定の深さとなるように、前記押し下げ部により前記支持部を押し下げるべき距離を求めるための押し下げ距離算出手段と、前記ノズルから前記海底面を掘削するための高圧水流が噴出されているとき、前記押し下げ距離算出手段からの出力に基づいて、前記押し下げ部を制御して、前記押し下げ部による前記支持部の海底方向への前記押し下げ距離を調整するための押し下げ制御手段と、を備えたことを特徴とするものである。
【０００９】
また、本発明による掘削効率を向上させた海底掘削機においては、油圧モーター及び油圧タンクを前記支持部の近傍に配置し、海上の船からケーブルを介して前記油圧モーターに電力及び制御信号を送信するようにした、ことが望ましい。
【００１０】
さらに、本発明による掘削効率を向上させた海底掘削機においては、前記支持部を構成する２つの平板は、埋設すべきパイプ又はケーブルの直径よりも大きな距離を介して互いに対向するように配置されており、海底掘削時には、前記２つの平板の間の空間に埋設すべきパイプ又はケーブルが配置されるようになっている、ことが望ましい。
【発明の効果】
【００１１】
以上に説明したように、本発明においては、「前記ノズルを備えた支持部を上下方向（海底面に対して近接又は離反する方向）に移動自在に構成し、さらに、前記ノズルから前記海底を掘削するための高圧水流が噴出されているとき（すなわち海底での掘削作業中に）、前記複数のノズルが備えられた支持部を所定の高さ位置から海底方向に向けて所定距離だけ押し下げるための押し下げ部（図５の押圧シリンダ９参照）」を備えるようにしている。したがって、本発明によれば、「従来のようにノズルから噴出された高圧水の一部が掘削のために使用されないままノズルと海底面との間の隙間から海中に逃げてしまうということが無くなり、掘削効率を大幅に向上させられるようになる」という格別の効果が得られるようになる。
【００１２】
また、本発明においては、「前記押し下げ部を制御して前記押し下げ部による支持部の海底方向への押し下げ距離を任意の距離に調整できるようにするための押し下げ制御手段」を備えるようにしている。したがって、本発明によれば、「海底面の起伏などの状況に応じて、海底面からの掘削深さをきめ細かく調整できるようになる」という格別の効果が得られるようになる。
【００１３】
また、本発明においては、海底掘削機の現在の推測位置に対応する海底の地形データに基づいて、海底掘削機により掘削すべき「海底面からの掘削深さ」（例えば、海水面から一定の距離を保った、海水面と平行な掘削深さ）を求め、さらに、この求めた掘削深さを実現するための前記押し下げ部（図４の押圧シリンダ９など）による支持部の押し下げ距離を求め、この押し下げ距離を実現するように前記押し下げ部を制御・調整するようにしている。したがって、本発明によれば、海水面から一定の距離の深さ位置（海水面から平行な深さ位置）にケーブル又はパイプを埋設することが可能になる。すなわち、従来は、海底面から一定の距離の深さ位置（海底面と平行な深さ位置）にケーブル又はパイプを埋設していたため、ケーブル又はパイプが海底面の起伏に対応して上下方向に湾曲した状態で埋設されてしまうという問題があった（後述の図８（ａ）参照。なお、このように、ケーブル又はパイプが上下方向に湾曲して埋設されてしまうと、例えば、サイホン方式で海洋深層水を海上に取水しようとする場合、パイプの中の気泡がパイプの上方に湾曲した箇所で膨張して空気層となり、この空気層が海洋深層水の流れを遮断してしまうなどの問題があった）。これに対して、本発明では、海底面の起伏に拘わらず、海水面から一定の距離の深さ位置（海水面と平行な深さ位置）にケーブル又はパイプを埋設することが可能になる（後述の図８（ｂ）参照）ので、上記のような従来の問題点を回避することができる。
【００１４】
また、本発明では、海底掘削機に油圧ユニット（油圧タンク、油圧モーター、油圧ポンプなどを含む）を備え、船上からの電力と制御信号により、この油圧ユニットを制御・駆動させるようにしたので、従来のように船上の油圧タンクから油圧ホースで油圧を海底側に供給する場合と比較して、油圧タンクから油圧モーターなどへの油圧の移送距離が大幅に短くなり、それだけ油圧モーターなどの駆動装置の起動速度や動作精度を向上させられるようになる。
【発明を実施するための最良の形態】
【００１５】
本発明を実施するための最良の形態は、以下の実施例１について述べるような形態である。
【実施例１】
【００１６】
以下、本発明の実施例１による海底掘削・埋設機を図面を参照して説明する。図１は本実施例の海底掘削・埋設機を示す正面図である。なお、この図１では、走行用車輪（図３の符号５参照）などの図示を省略している。図１において、１は海底掘削・埋設機が海底の柔らかい地盤の中に沈み込むことを防止するためのソリ部、２は水中ポンプ、３は海底面に置かれたケーブル又はパイプを取り込むための取り込み部である。
【００１７】
図２は前記取り込み部３の構成を説明するための図である。前記取り込み部３は、まず、海底面に置かれたケーブル又はパイプ４をその両側から囲むようにし（図２（ａ）参照）、その後、そのケーブル又はパイプ４をその両面からその下面をすくい上げるようにして自らの内部に取り込む（図２（ｂ）参照）。海底掘削・埋設機は、この状態で、後述の海底面掘削作業を行いながら、所定速度で海底面を走行・移動していく。
【００１８】
次に、図３は本実施例の海底掘削・埋設機を示す平面図である。図３において、５は本実施例１の海底掘削・埋設機の走行用の車輪、６は前記水中ポンプ２などを駆動するための油圧ユニットである。本実施例の海底掘削・埋設機は、海底を掘削してケーブル又はパイプを埋設しながら、前記車輪５により、所定速度で海底を走行していく。
【００１９】
次に、図４は本実施例の海底掘削・埋設機を示す側面図である。図４に示す海底掘削・埋設機は、車輪５により、図の矢印α方向に移動していく。図４において、７は海底掘削・埋設機の移動方向と平行に備えられた側面が略台形状（略扇状）のステンレス製の平板（２枚）から成る支持部、８はこの支持部７の各平板の下端部に前記移動方向（矢印α方向）に沿って並べられた多数のノズル、９は前記支持部７を海底方向（図の矢印β方向）に押し下げるための押圧シリンダ（前記油圧ユニット６内の油圧モーターにより駆動される）、１０は前記の車輪５、油圧ユニット６、支持部７、及び押圧シリンダ９などを固定するためのフレーム、である。
【００２０】
なお、図４では、支持部７の下端部（ノズル８が備えられた部分）の図示右側端部（支持部の略台形状側面の高さが最も大きい部分の下端部）Ａと、車輪５の下端部Ｂとを結ぶ線が、海底面（地盤面）と一致している。
【００２１】
また、図４において、前記支持部７は、前記フレーム１０と接続部（ヒンジ部）１１により接続されている。また、前記支持部７は、前記フレーム１０に対して、前記接続部１１を支点として、矢印γ方向に回動自在に接続されている（図５も参照）。また、前記フレーム１０の左側先端部１０ａには周囲の映像を取り込んでその映像を海上の船のモニター装置に送るための水中テレビカメラ１２が備えられている。
【００２２】
また、図４において、油圧ユニット６は、船上からのケーブルで送られてくる電力及び制御信号により制御・駆動される油圧モーター、油圧ポンプ、及び油圧タンクなどで構成されている。前記油圧ユニット６により、前記フレーム１０に固定された水中ポンプ２、車輪５、及び押圧シリンダ９などが駆動される。また、図示していないが、前記フレーム１０上の前記油圧ユニット６の近傍の位置には、海中のダイバーが直接に前記油圧ユニット６を操作するための海底操作盤が設置されている。
【００２３】
また、図６は図４の支持部７の構成をより詳細に説明するための図である。図６（ａ）は支持部７を本実施例の背面方向から見たときの図、図６（ｂ）は支持部７の側面を示す図、図６（ｃ）は支持部７を本実施例の前方（走行方向）から見たときの図である。図６（ａ）及び（ｃ）に示すように、支持部７は、２枚の略台形状（略扇状）のステンレス製平板により構成されている。この２つの平板は、お互いに、所定の距離（埋設するケーブル又はパイプの直径（例えば５０ｃｍ）よりも少し大きい距離）だけ離れた位置で対向するように配置されている。
【００２４】
また、図６において、１３は、水中ポンプ２（図３参照）とジャバラ形ホース（図示せず）などで接続された状態で支持部７に取り付けられた配水管、１４は配水管１３と複数のノズル８とを接続するために支持部７に取り付けられた配水支管である（詳しくは後述する）。
【００２５】
前記２つの支持部７は、配水管１３と配水支管１４とノズル８などを支持するためのものである。この２つの支持部７は、図６（ａ）及び（ｃ）に示すように、配水管１３及び配水支管１４を含めて、略逆Ｕ字状に形成されている。なお、図１の符号７で示す破線は、前記の略逆Ｕ字状の支持部７の概略位置を示している。
【００２６】
次に、図７は本実施例の電気的構成の一部を説明するためのブロック図である。図７において、２１は船上に備えられたＧＰＳ（グローバルポジショニングシステム）受信機、２２はケーブル又はパイプの埋設予定地の海底面の起伏などを含む地形データを記録しておくための地形データベースであって船上に備えられたハードディスクなどで構成される地形データベース、２３は前記ＧＰＳ受信機２１及び地形データベース２２からのデータに基づいて後述の海底の油圧モーター６ｂ（及び押圧シリンダ９）を制御するための制御信号を出力するための押し下げ制御機能を備えたパソコン（船上に備えられている）、２５は前記油圧モーター６ｂなどを操作するために船上の前記パソコン２３の近傍に備えられた船上操作盤（船上の乗組員が図４の水中テレビカメラ１２からの映像を見ながら操作するための船上操作盤）、２５は船上に備えられ、前記パソコン２３又は船上操作盤２４からの制御信号を海底掘削・埋設機側に制御信号ケーブル２６を介して送信するための制御信号送信部、である。
【００２７】
前記地形データベース２２には、ケーブル又はパイプの埋設作業の前に、予め、海底の起伏などの地形データを収集するためのサイドスキャンソナーと船上のＧＰＳ受信機２１とを使用して取得したケーブル又はパイプの埋設予定地の海底面の起伏などを含む地形データが、位置座標データと関連付けられて記録されている。
【００２８】
次に、前記パソコン２３による機能の一部としての押し下げ制御機能を説明する。この機能では、ＧＰＳ受信機２１からの船の現在位置データを受信すると、この船の現在位置を海底の海底掘削・埋設機の現在位置と推測する。そして、この推測した海底掘削・埋設機の現在位置に対応する海底面の地形データを前記地形データベース２２から呼び出す。そして、この地形データベース２２から呼び出した現在位置に対応した地形データに基づいて、海底掘削・埋設機が海底を掘削するときの「あるべき掘削深さ」を所定のプログラムにより求め、この求めた「あるべき掘削深さ」を実現するために必要な押圧シリンダ９の支持部７の押し下げ距離、及びこの押し下げ距離を実現するための油圧モーター６ｂへの制御信号を生成する。この生成された制御信号は、制御信号送信部２５から制御信号ケーブル２６を介して海底にある海底掘削・埋設機の油圧モーター６ｂに送信される。
【００２９】
また、図７において、６ａは海底掘削・埋設機の油圧ユニット６に内蔵された油圧タンク、６ｂは海底掘削・埋設機の油圧ユニット６に内蔵された油圧モーター、９は前記油圧モーター６ｂにより駆動されて前記支持部７を海底方向に所定距離だけ押し下げるための押圧シリンダ、２７は前記油圧モーター６ｂなどを海中のダイバーが直接に操作するために海底掘削・埋設機の油圧ユニット６の近傍（フレーム１０の上）に備えられた海底操作盤である。なお、この図７の海底操作盤２７などは、図４においては図示を省略している。
【００３０】
なお、図７の海底操作盤２７及び船上操作盤２４は、図７の押圧シリンダ９を駆動するための油圧モーター６ｂを操作するためだけでなく、図１の水中ポンプ２を駆動するための油圧モーター（図７では図示を省略している）などを操作するためにも使用できるように構成されている。以上のように、図７の海底操作盤２７は、水中のダイバーが直接に海底操作盤２７を操作して油圧モーター６ｂや水中ポンプ２などを操作するために使用できるように構成されている。
【００３１】
次に、本実施例の動作を、主として図５及び図８を参照して、説明する。図７について前述したように、本実施例を使用するときは、予め、ケーブル又はパイプの埋設予定経路の海上を船で巡航しながら、ＧＰＳ受信機２１とサイドスキャンソナーを使用して埋設予定経路の海底の地形データを位置座標データと関連付けて地形データベース２２に記録しておく。
【００３２】
その後、実際にケーブル又はパイプの埋設作業をするときは、まず、船でケーブル又はパイプを海底に置く。そして、船で牽引しながら本実施例の海底掘削・埋設機をケーブル又はパイプの上に置いて、図２に示すように、取り込み部３でケーブル又はパイプを取り込む。
【００３３】
次に、前記水中ポンプ２が駆動されて、海水を、それぞれについて予め設定された圧力で、配水管１３及び配水支管１４を介して複数のノズル８に送る。各ノズル８からは、高圧水が、「前記車輪５による海底掘削・埋設機の走行方向とは反対の方向（後ろ方向）と海底方向との間の中間の方向」に噴出される。この噴出は、前記車輪５による海底掘削・埋設機の走行と同時平行的に行われる。また、これと同時に、前記押圧シリンダ９が支持部７の上端部を図５に示すように海底方向（矢印β方向）に押し下げる。この押し下げにより、前記ノズル８から高圧水が海底面へ放出されるとき、前記ノズル８からの高圧水の一部がノズルと海底面との間の隙間から逃げなくなるので、前記高圧水による海底面の掘削が極めて効率的に行えるようになる。
【００３４】
このような高圧水の噴出による海底面の掘削が行われていくのと同時並行的に、前記取り込み部３（図１参照）で取り込まれたケーブル又はパイプが、車輪５による海底掘削・埋設機の走行に伴って、前記の掘削により形成された溝の中に置かれていく。さらに、このような動作と同時平行的に海底掘削・埋設機が所定速度で走行して行くので、前記ノズル８からの高圧水により掘削された海底の土砂は、海底掘削・埋設機の走行方向と反対の方向（後ろ方向）に巻き揚げられ、その巻き揚げられた土砂が前記溝の中に置かれたケーブル又はパイプの上に堆積していくことにより、ケーブル又はパイプの埋設が継続的に行われていく。
【００３５】
以上のように、本実施例では、前記ノズル８から高圧水が噴出されるとき、前記押圧シリンダ９が支持部７を海底方向（図５のβ方向）に押し下げるようにしている。このような「押圧シリンダ９による支持部７の押し下げ」が無いときは、前記ノズル８から高圧水が噴出されても、その高圧水の一部が、掘削のために使用されないままノズル８と海底面との間の隙間から海中に逃げてしまうため、掘削効率が悪くなってしまう。このような不都合を防ぐため、本実施例では、前述のように押圧シリンダ９により支持部７を押し下げて、ノズル８と海底面との間に隙間が形成されないようにしている。よって、本実施例では、従来よりも掘削効率を大幅に向上させられるようになる。
【００３６】
また、本実施例では、図７で前述したように、船上のパソコン２３が、船上のＧＰＳ受信機２１からのデータに基づいて、海底掘削・埋設機の現在位置を推測し、この推測位置と対応する海底の地形データに基づいて、海底掘削・埋設機により掘削すべき「海底面からの掘削深さ」（例えば、海水面から一定の距離の深さでケーブル又はパイプを埋設するための、海底面からの掘削深さ）を求め、さらに、この求めた掘削深さを実現するための前記押圧シリンダ９による支持部７の押し下げ距離を求め、この押し下げ距離だけ押圧シリンダ９を駆動するための制御信号を、制御信号送信部２５を介して海底の油圧モーター６ｂに送信する。
【００３７】
これにより、本実施例では、前記押圧シリンダ９による支持部７の押し下げ距離を任意に変更・調整して、前記ノズルからの高圧水による海底面からの掘削深さを任意に調節することができるようになる。例えば、本実施例では、押圧シリンダ９の押し下げ距離を調整することにより、図５に示すように、支持部７の図示右下端部を図５のＡの位置からＡ’の位置まで押し下げてこのＡ’の位置まで掘削することもできるし、支持部７をＡ”の位置まで押し下げてこのＡ２”の位置まで掘削することもできるようになる。
【００３８】
すなわち、本実施例では、従来は困難であった、海水面から一定の距離の深さ位置（海水面と平行な深さ位置）にケーブル又はパイプを埋設することが可能になる。すなわち、従来の海底掘削・埋設機では海底面の起伏を含む地形に応じた掘削は不可能で、図８（ａ）に示すように、海底面Ｍ（海水面Ｈではなく）から一定の距離の深さ位置（海底面Ｍと平行な深さ位置）Ｌに、ケーブル又はパイプを埋設するしかなかった。しかし、実際の海底面は多様な起伏があるため、海底面Ｍと平行にケーブル又はパイプを埋設すると、ケーブル又はパイプが海底面Ｍの起伏と同じように大きく湾曲した状態（図８（ａ）のＬ参照）で埋設されてしまうという問題があった。これに対して、本実施例では、前述のように、海底面Ｍの起伏に拘わらず、海水面Ｈから一定の距離の深さ位置（海水面Ｈと平行な深さ位置）Ｌ’（図８（ｂ）参照）に、ケーブル又はパイプを埋設することが可能になる。よって、本実施例では、図８（ｂ）に示すように、海底面Ｍに起伏があっても、それに拘わらず、ケーブル又はパイプを海水面Ｈと平行な直線状（図８（ｂ）の符号Ｌ’参照）に埋設することが可能になる。
【００３９】
また、本実施例では、図７に関して前述したように、海底掘削・埋設機に油圧ユニット（油圧タンク、油圧ポンプ、油圧モーターなどを含む）を備え、船上からの電力と制御信号により、この油圧ユニット６を制御・駆動させるようにしたので、従来のように船上の油圧タンクから油圧ホースで油圧を海底側に供給する場合と比較して、油圧タンクから油圧モーターなどへの油圧の移送距離が大幅に短くなり、それだけ油圧モーターなどの駆動装置の起動速度や動作精度を向上させられるようになる。
【００４０】
さらに、本実施例では、船上に油圧ユニット６や水中ポンプ２などを操作するための操作盤を備えるだけでなく、海底掘削・埋設機の側にも油圧ユニット６や水中ポンプ２などを操作できる操作盤を備えるようにしたので、従来のように船上から乗組員が油圧ユニット６や水中ポンプ２などを操作するだけでなく、海中のダイバーが直接に油圧ユニット６や水中ポンプ２などを操作することが可能になる。
【図面の簡単な説明】
【００４１】
【図１】本発明の実施例による海底掘削・埋設機を示す正面図。
【図２】図１の取り込み部の動作を説明するための図。
【図３】本実施例による海底掘削・埋設機の平面図。
【図４】本実施例による海底掘削・埋設機の側面図。
【図５】本実施例による海底掘削・埋設機の動作を説明するための図。
【図６】本実施例による海底掘削・埋設機の支持部の構成を説明するための図。
【図７】本実施例による海底掘削・埋設機の電気的構成の一部を示すブロック図。
【図８】本実施例による海底掘削・埋設機の動作を説明するための図。
【符号の説明】
【００４２】
２          水中ポンプ
４          パイプ
５          車輪
６          油圧ユニット
６ｂ      油圧モーター
７          支持部
７ａ      支持部の左端部
７ｂ      支持部の右端部
８          ノズル
９          押圧シリンダ
１０      フレーム
１１      接続部
１２      水中テレビカメラ
１３      配水管
１４      配水支管
２１      ＧＰＳ受信機
２２      地形データベース
２３      パソコン
２４      船上操作盤
２５      制御信号送信部
２６      制御信号ケーブル
２７      海底操作盤
Ｈ          海水面
Ｌ          埋設位置
Ｍ          海底面
【要約】      （修正有）【課題】掘削効率を向上させることができ、パイプ又はケーブルを海水面と平行な直線状に埋設することができ、掘削動作を柔軟且つ高精度に行うことができ、海中のダイバーが直接に掘削機を操作することができる、海底掘削機を提供する。【解決手段】パイプ又はケーブルを海底に埋設するための溝を形成する海底掘削機である。海底掘削機の移動方向と平行に、且つ、所定の距離を介して互いに対向するように配置された２つの平板であって、その高さが後方に向かうにしたがって徐々に大きくなっている略台形状の２つの平板により構成されている支持部７と、前記支持部を構成する２つの平板の下端部にそれぞれ海底掘削機の移動方向と平行に並ぶように備えられ、海底を掘削するための高圧水流を、海底掘削機の移動方向とは反対の方向と海底方向との間の方向に向けて噴出するためのノズルと、配水管と、高圧水を供給するための水中ポンプ２とを備えている。【選択図】図１【図１】
0003605407.tif 000002
【図２】
0003605407.tif 000003
【図３】
0003605407.tif 000004
【図４】
0003605407.tif 000005
【図５】
0003605407.tif 000006
【図６】
0003605407.tif 000007
【図７】
0003605407.tif 000008
【図８】
0003605407.tif 000009